(57)【要約】【課題】OFDMAシステムのアップリンク電力制御メッセージインデキシングを提供する。【解決手段】基地局はファーストフィードバックチャネル（ＦＦＢＣＨｓ）を配置し、移動局は、配置されたＦＦＢＣＨｓによりダウンリンクチャネル情報を報告する。受信されたチャネル情報に基づいて、基地局はアップリンクチャネル品質を推定しチャネル変化を検出する。アップリンクチャネル変化に応じて、基地局は電力オフセットを送信して移動局の伝送電力レベルを調整する。【選択図】  図３
2013527994.tif 000002
【特許請求の範囲】
【請求項１】
無線ＯＦＤＭＡシステム中の移動局により伝送されるファーストフィードバックチャネルに基づいて、アップリンクチャネル品質を推定し、前記ファーストフィードバックチャネルが、アップリンクサブフレームの第一位置で割り当てられる工程；および、
基地局により、出力制御メッセージを前記移動局に伝送し、前記出力制御メッセージは、前記推定されたアップリンクチャネル情報に応答して伝送され、ダウンリンクサブフレームの第二位置に割り当てられる工程、
を含み、前記第二位置は、第一位置の後に位置し、両者の間に、遅延時間を有することを特徴とする方法。
【請求項２】
前記遅延時間は、前記無線ＯＦＤＭＡシステムで予め定義されることを特徴とする請求項１に記載の方法。
【請求項３】
前記遅延時間は、前記基地局から単独で前記移動局に送られることを特徴とする請求項１に記載の方法。
【請求項４】
前記第一位置は、第一フレームインデックス、第一サブフレームインデックスおよび第一チャネルインデックスに関連し、前記第二位置は、第二フレームインデックス、第二サブフレームインデックスおよび第二チャネルインデックスに関連し、前記第二フレームインデックス、前記第二サブフレームインデックスおよび前記第二チャネルインデックスは、前記第一フレームインデックス、前記第一サブフレームインデックス、前記第一チャネルインデックスおよび前記遅延時間に基づいて決定されることを特徴とする請求項１に記載の方法。
【請求項５】
各フレームはＮ個のサブフレームユニットを含み、前記遅延時間はＸ個のサブフレームユニットに等しく、Ｎは正の整数で、且つ、Ｘは小数であることを特徴とする請求項４に記載の方法。
【請求項６】
前記出力制御メッセージは、電力オフセットを含み、前記移動局の前記アップリンク伝送電力を調整することを特徴とする請求項１に記載の方法。
【請求項７】
前記無線ＯＦＤＭＡシステムは、周波数分割双方向（ＦＤＤ）システム、又は、ハイブリッド周波数分割双方向（Ｈ-ＦＤＤ）システムであることを特徴とする請求項１に記載の方法。
【請求項８】
基地局であって:
無線ＯＦＤＭＡシステムの移動局により伝送されるファーストフィードバックチャネルに基づいて、アップリンクチャネル品質を推定し、前記ファーストフィードバックチャネルが、アップリンクサブフレームの第一位置で割り当てられる受信器；
出力制御メッセージを生成し、前記推定されたアップリンクチャネル情報に応答する出力制御モジュール；および
前記出力制御メッセージを前記移動局に伝送し、前記出力制御メッセージが、ダウンリンクサブフレームの第二位置で割り当てられ、前記第二位置は、前記第一位置の後に位置し、両者の間に、固定遅延時間がある伝送器、
を含むことを特徴とする基地局。
【請求項９】
前記遅延時間は、前記無線ＯＦＤＭＡシステムで予め定義されることを特徴とする請求項８に記載の基地局。
【請求項１０】
前記遅延時間は、前記基地局から単独で前記移動局に送られることを特徴とする請求項８に記載の基地局。
【請求項１１】
前記第一位置は、第一フレームインデックス、第一サブフレームインデックス、及び、第一チャネルインデックスに関連し、前記第二位置は、第二フレームインデックス、第二サブフレームインデックス、及び、第二チャネルインデックスに関連し、前記第二フレームインデックス、前記第二サブフレームインデックス、及び、前記第二チャネルインデックスは、前記第一フレームインデックス、前記第一サブフレームインデックス、前記第一チャネルインデックス、及び、前記遅延時間に基づいて決定されることを特徴とする請求項８に記載の基地局。
【請求項１２】
各フレームはＮ個のサブフレームユニットを含み、前記遅延時間はＸ個のサブフレームユニットに等しく、Ｎは正の整数で、且つ、Ｘは小数であることを特徴とする請求項１１に記載の基地局。
【請求項１３】
前記出力制御メッセージは電力オフセットを含み、前記移動局の前記アップリンク伝送電力を調整することを特徴とする請求項８に記載の基地局。
【請求項１４】
前記無線ＯＦＤＭＡシステムは、周波数分割双方向（ＦＤＤ）システム、又は、ハイブリッド周波数分割双方向（Ｈ-ＦＤＤ）システムであることを特徴とする請求項８に記載の基地局。
【請求項１５】
無線ＯＦＤＭＡシステム中の複数の移動局により伝送される複数のファーストフィードバックチャネルにより、ダウンリンクチャネル情報を受信するステップ；
前記無線ＯＦＤＭＡシステム中の基地局により、前記受信されたファーストフィードバックチャネルに基づいて、アップリンクチャネル品質を推定するステップ；および
前記基地局により応答する前記推定されたアップリンクチャネルに応答する複数の出力制御メッセージを、前記複数の移動局に伝送する工程、
を含み、各出力制御メッセージは、各ファーストフィードバックチャネルに関連して割り当てられて、各対応するファーストフィードバックチャネルと遅延時間に基づいて、各移動局は、各出力制御メッセージを定位することが出来ることを特徴とする方法。
【請求項１６】
各フレームはＮ個のサブフレームユニットを含み、前記遅延時間はＸ個のサブフレームユニットに等しく、Ｎは正の整数で、Ｘは小数であることを特徴とする請求項１５に記載の方法。
【請求項１７】
各ファーストフィードバックチャネルは各Ｐ個のサブフレームユニットにより伝送され、Pは正の整数、前記遅延時間は前記Pの値と無関係であることを特徴とする請求項１５に記載の方法。
【請求項１８】
前記遅延時間が予め定義されて、複数の移動局の数量が多い時、リソースが効果的に用いられて、前記出力制御メッセージを伝送することを特徴とする請求項１７に記載の方法。
【請求項１９】
前記遅延時間が予め定義されて、Ｐが大きい数値の時、前記遅延時間は、実質上、各ファーストフィードバックチャネルの前記周期より短いことを特徴とする請求項１７に記載の方法。
【請求項２０】
前記遅延時間が予め定義され、前記出力制御メッセージが、ハイブリッド周波数分割双方向（Ｈ-ＦＤＤ）システムのダウンリンクサブフレームに割り当てられることを特徴とする請求項１７に記載の方法。
【請求項２１】
各出力制御メッセージは、電力オフセットを含み、複数の移動局のアップリンク伝送電力を調整することを特徴とする請求項１５に記載の方法。
【発明の詳細な説明】
【技術分野】
【０００１】
本発明は、無線ネットワーク通信に関するものであって、特に、無線直交周波数分割多元接続（ＯＦＤＭＡ）通信システム中の出力制御メッセージインデキシング方法に関するものである。
【背景技術】
【０００２】
無線直交周波数分割多元接続（ＯＦＤＭＡ）通信システムにおいて、各移動局の伝送電力は、所望のチャネル品質を達成しシステム容量を最大化する一定レベルに維持される必要がある。無線ＯＦＤＭＡシステム中の無線リソースは、各無線周波数（ＲＦ）キャリア中のサブキャリアに分割されるので、無線信号は、異なるサブキャリアを用いて、データストリームにより、各移動局からそのサービング基地局に伝送される。その結果、データストリームおよびサブキャリア毎の伝送電力は、サービング基地局により受信されたターゲットアップリング信号対干渉および雑音電力比（ＳＩＮＲ）、及び、サービング基地局のサブキャリア毎のノイズと干渉レベルによって決まる。閉ループ出力制御（ＣＬＰＣ）メカニズムにおいて、各移動局の伝送電力は、サービング基地局から伝送される送信電力制御（ＴＰＣ）命令により制御される。サービング基地局は、周期的に、移動局のアップリンクチャネル品質を監視し、且つ、応答として、移動局の周期的な伝送電力更新のためのＴＰＣ命令を伝送する。
【０００３】
移動局のアップリンクチャネル品質は、移動局により実行されるダウンリンクチャネル測定に基づいて、サービング基地局により生成、又は、推定される。時分割二重（ＴＤＤ）システムにおいては、チャネル相互依存（channel reciprocity）のため、アップリンクチャネル品質は、ダウンリンクチャネル測定から導き出される。周波数分割双方向（ＦＤＤ）システムにおいて、アップリンクチャネル品質は、ダウンリンクとアップリンクチャネル間のチャネル相関性を活用することにより、ダウンリンクチャネル測定から推定される。
【０００４】
ＩＥＥＥ８０２．１６ｍシステムの一例においては、まず、サービング基地局は、ファーストフィードバックチャネル（ＦＦＢＣＨ）の持続期間と周期を移動局に配置する。その後、移動局は、配置されたＦＦＢＣＨにより、そのダウンリンクチャネル情報を報告する。受信されたＦＦＢＣＨに基づいて、サービング基地局は、アップリンクチャネル品質、アップリンクＳＩＮＲを推定する。推定されたアップリンクチャネル品質に応答するため、サービング基地局は、チャネル変化を検出し、ダウンリンクフレームの出力制御先進−ＭＡＰ（ＰＣ-Ａ-ＭＡＰ）中で、出力制御Ａ-ＭＡＰ-ＩＥを伝送することにより、出力制御コマンドを伝送して、チャネル変化を追跡する。受信されたＰＣ-Ａ-ＭＡＰ-ＩＥに基づいて、移動局は、出力制御コマンドを識別し、伝送電力レベルを調整する。無線ＯＦＤＭＡシステム中に複数の移動局があるとき、複数の移動局に用いる複数の出力制御コマンドが、同一ＰＣ-Ａ-ＭＡＰに統合化される可能性が高い。
【０００５】
ＰＣ-Ａ-ＭＡＰ中で、出力制御コマンドを識別するため、移動局は、出力制御コマンドのアドレス、即ち、ＰＣ-Ａ-ＭＡＰ中のＰＣ-Ａ-ＭＡＰ-ＩＥを知ることが必要である。しかし、移動局に、ＰＣ-Ａ-ＭＡＰ-ＩＥインデキシング（indexing）を提供して、効果的、且つ、効率的に、送信電力制御を実行するのが課題として残っている。
【発明の概要】
【発明が解決しようとする課題】
【０００６】
本発明は、無線直交周波数分割多元接続（ＯＦＤＭＡ）通信システム中の出力制御メッセージインデキシング方法を提供することを目的とする。
【課題を解決するための手段】
【０００７】
無線直交周波数分割多元接続（ＯＦＤＭＡ）ネットワークにおける出力制御メッセージインデキシングの方法が提供される。サービング基地局は、フィードバック割り当てＡ-ＭＡＰ-ＩＥ（ＦＡ-Ａ-ＭＡＰ-ＩＥ）により、アップリンクファーストフィードバックチャネル（ＦＦＢＣＨｓ）を配置する。ＦＡ-Ａ-ＭＡＰ-ＩＥは、始動フレームとサブフレーム、および、移動局がダウンリンクチャネル情報の報告に用いるＦＦＢＣＨの持続期間と周期を含む。その後、移動局は、配置されたＦＦＢＣＨｓにより、ダウンリンクチャネル情報を報告する。基地局は、各移動局の受信されたＦＦＢＣＨに基づいて、アップリンクチャネル品質、例えば、信号対干渉および雑音電力比（ＳＩＮＲ）を推定する。推定されたチャネル品質情報に基づいて、基地局はチャネル変化を検出し、電力オフセット値を伝送する出力制御コマンドを生成して、移動局の伝送電力レベルを調整する。
【０００８】
本発明に係る一実施形態においては、移動局の出力制御コマンドは一ＰＣ-Ａ-ＭＡＰに統合化され、インデキシングスキームは、配置されたＦＦＢＣＨに基づいて、黙示的（implicitly）である。例えば、ＦＦＢＣＨがアップリンクフレームの第一位置にある場合、ＦＦＢＣＨに応答する次のＰＣ-Ａ-ＭＡＰ-ＩＥは、ダウンリンクフレームの第二位置に位置し、第二位置は、第一位置の後に位置し、且つ、両者間には所定の固定遅延時間がある。一例として、各フレーム中のサブフレームの総数がＮに等しい場合、遅延時間はＮ／２サブフレームに予め定義される。
【０００９】
ＦＦＢＣＨと対応するＰＣ-Ａ-ＭＡＰ-ＩＥ間の固定時間遅延を用いることにより、各移動局は、基地局から伝送されるＰＣ-Ａ-ＭＡＰ中で、それ自身の出力制御コマンドを識別することができ、追加のシグナリングオーバーヘッドが不要である。一実施形態においては、遅延時間は、相対して短く、且つ、別のパラメータ、例えば、ＦＦＢＣＨの周期から独立するように予め定義される。ＰＣ-Ａ-ＭＡＰ-ＩＥは、所定の時間遅延で、ＦＦＢＣＨのすぐ後に続くので、チャネル条件が急速に変化しても、出力制御コマンドは無効にならない。この他、資源は、基地局に接続されない移動局上に浪費されない。
【発明の効果】
【００１０】
本発明により、効果的、且つ、効率的に、送信電力制御が実行される。
【図面の簡単な説明】
【００１１】
【図１】本発明に係る一実施形態による無線直交周波数分割多元接続（ＯＦＤＭＡ）システム中の出力制御スキームを示す図である。
【図２】新規の出力制御メカニズムを用いた通信プロトコルに関連するフレームの構造を示す図である。
【図３】本発明に係る一実施形態による無線ＯＦＤＭＡシステム中の出力制御メッセージインデキシングの方法のフローチャートである。
【図４】周波数分割双方向（ＦＤＤ）システム中の出力制御メッセージインデキシングの一具体例を示す図である。
【図５】ハイブリッド周波数分割双方向（Ｈ-ＦＤＤ）システム中の出力制御メッセージインデキシングの一具体例を示す図である。
【図６】ＦＤＤ／Ｈ-ＦＤＤシステム中の出力制御メッセージインデキシングの別の具体例を示す図である。
【図７】無線ＯＦＤＭＡシステム中の出力制御メッセージインデキシングの４個の例を示す図である。
【発明を実施するための形態】
【００１２】
図１は、本発明に係る一実施形態による無線直交周波数分割多元接続（ＯＦＤＭＡ）システム１０中の送信電力制御スキームを示す図である。無線ＯＦＤＭＡシステム１０は、サービング基地局ＢＳ１１と複数の移動局ＭＳ１２−ＭＳ１６を含む。基地局ＢＳ１１は、メモリ２１、プロセッサ２２、出力制御モジュール２３、および、アンテナ２５に結合される送受信機２４を含む。同様に、各移動局（例えば、ＭＳ１２）は、メモリ３１、プロセッサ３２、出力制御モジュール３３、及び、アンテナ３５に結合される送受信機３４を含む。
【００１３】
無線ＯＦＤＭＡシステム１０において、各移動局ＭＳ１２−ＭＳ１６は、所定の受信器で適切な信号受信を確保できる程度に十分高く、且つ、エネルギーを保存し、別の受信器に干渉が生じない程度に十分に低い電力レベルで無線信号を伝送することが望ましい。この他、各移動局の伝送電力を制御して、最低必要なチャネル品質を確保することにより、システム容量が最大化する。閉ループ出力制御（ＣＬＰＣ）メカニズムにおいて、各移動局の伝送電力は、サービング基地局ＢＳ１１から伝送される出力制御メッセージにより制御される。サービング基地局ＢＳ１１は、各移動局のアップリンクチャネル品質を周期的に監視し、且つ、応答して、送信電力制御（ＴＰＣ）命令を伝送し、各移動局の周期的な伝送電力更新に用いる。時分割二重（ＴＤＤ）システムにおいては、チャネル相互依存のため、アップリンクチャネル品質は、ダウンリンクチャネル測定から導き出される。周波数分割双方向（ＦＤＤ）システムにおいて、アップリンクチャネル品質は、ダウンリンクとアップリンクチャネル間のチャネル相関を有効利用することにより、ダウンリンクチャネル測定から推定される。
【００１４】
図１に示されるように、サービング基地局ＢＳ１１は、まず、フィードバック割り当て先進−ＭＡＰ情報部（フィードバック割り当てアドバンスド−ＭＡＰ情報要素）（feedback allocation Advanced-MAP information element）（即ち、ＦＡ-Ａ-ＭＡＰ-ＩＥ，図示しない）により、ファーストフィードバックチャネル（ＦＦＢＣＨ）を構成する。その後、各移動局（例えば、ＭＳ１５）は、構成されたＦＦＢＣＨにより、ダウンリンクチャネル情報を報告する。ＢＳ１１は、受信されたＦＦＢＣＨに基づいて、アップリンクチャネル推定を実行し、出力制御コマンドを伝送して、ＰＣ-Ａ-ＭＡＰ内の出力制御Ａ-ＭＡＰ情報部（即ち、ＰＣ-Ａ-ＭＡＰ-ＩＥ。図示しない）を送信することにより、チャネル変化を追跡する。ＰＣ-Ａ-ＭＡＰは、複数の移動局に送られる統合化ＰＣ-Ａ-ＭＡＰ-ＩＥを含む。本発明に係る一実施形態においては、出力制御コマンドは、配置されたＦＦＢＣＨに基づいて設計されるので、各移動局は、効率的、且つ、効果的に、対応する出力制御コマンドを識別して、その伝送電力レベルを調整する。
【００１５】
無線ＯＦＤＭＡシステム中の無線リソースは、各ＲＦキャリア中のサブキャリアに分割されるので、各移動局は、特定のサブキャリア（例えば、サブチャネル）のデータストリームを用いて、無線信号を伝送する。よって、特定のチャネルの伝送電力は、チャネル品質に密接に関わる。現在のところ、先進無線ＯＦＤＭＡシステム（例えば、図１の無線ＯＦＤＭＡシステム１０）において、移動局（例えば、ＭＳ１５）の出力制御式は以下に示される:
【００１６】
Ｐ ＝ Ｌ ＋ ＳＩＮＲＴＡＲＧＥＴ ＋ ＮＩ ＋ Ｏffset    （１）
【００１７】
式中、Ｐは、発送されるデータストリームとサブキャリア毎の伝送電力レベル、Ｌは、移動局（例えば、ＭＳ１５）により計算される推定された平均ダウンリンク伝搬損失、ＳＩＮＲＴＡＲＧＥＴは、基地局（例えば、ＢＳ１１）により受信されるターゲットアップリング信号対干渉および雑音電力比、ＮＩは、基地局のサブキャリア毎の雑音および干渉の推定された平均電力レベル、および、Ｏffsetは、移動局に用いる電力オフセットの修正項（correction term）である。電力オフセットは、基地局から移動局に伝送される出力制御コマンドにより制御される。出力制御コマンドは、周期的（例えば、閉ループ出力制御）、又は、非周期的（例えば、開ループ出力制御）に、基地局から伝送される。
【００１８】
図２は、上述の出力制御メカニズムを用いた通信プロトコルに関連するフレームの構造を示す図である。図２のフレーム構造は実際のフレーム構造ではなく、本発明を説明する目的のための簡潔な図である。図２中のフレームは、ダウンリンクサブフレーム５１、５３、及び、アップリンクサブフレーム５２を含む。ダウンリンクサブフレームは、基地局から一つまたはそれ以上の移動局に伝えられ、アップリンクサブフレームは、移動局から基地局に戻って伝えられる。当技術分野で周知のように、縦軸の単位は、通信に用いることができる各種サブキャリア（即ち、サブチャネル）を示す。横軸は、時間ドメイン中の左から右への時間延伸を示す。よって、ダウンリンクサブフレームは、時間上、アップリンクサブフレームの後に位置する。
【００１９】
図２に示されるように、ＦＡ-Ａ-ＭＡＰ-ＩＥ５４は、ダウンリンクサブフレーム５１中に含まれ、後続のアップリンクサブフレーム５２中のＦＦＢＣＨ５５を配置する。例えば、ＦＡ-Ａ-ＭＡＰ-ＩＥ５４により、ＦＦＢＣＨ５５の始動フレームとサブフレーム、ＦＦＢＣＨ５５の持続期間と周期が配置される。配置されたＦＦＢＣＨ５５により、移動局は、ダウンリンクチャネル情報を基地局に報告することができる。その後、基地局は、ＦＦＢＣＨに基づいて、アップリンクチャネル品質、例えば、信号対干渉および雑音電力比（ＳＩＮＲ）を推定する。推定されたアップリンクチャネル品質に基づいて、基地局はアップリンクチャネルの電力レベルを導き出す。その後、基地局は、チャネル変化があるかどうか、および、電力調節を実行してチャネル変化に応答する必要があるかどうかを判断することができる。電力調節が必要な場合、その後、電力オフセットは、出力制御コマンドにより、移動局に送られる。
【００２０】
基地局から移動局に電力オフセットを伝送するために、二種のスキームが用いられる。第一スキームにおいては、アップリンク出力制御調整メッセージ（ＡＡＩ-ＵＬ-ＰＯＷＥＲ-ＡＤＪ）が、ダウンリンクＭＡＣ制御メッセージとして、特定の移動局に送られる。ＡＡＩ-ＵＬ-ＰＯＷＥＲ-ＡＤＪメッセージは、大きい電力ジャンプを提供して、検出されたチャネル変化にすぐに適応する。第二スキームにおいては、複数の移動局に用いられる出力制御コマンドは統合化され、且つ、ダウンリンクサブフレーム５３のＰＣ-Ａ-ＭＡＰ５６により伝送される。各移動局は、その後、ＰＣ-Ａ-ＭＡＰ５６内のそれ自身の出力制御コマンドの位置を識別する。ＡＡＩ-ＵＬ-ＰＯＷＥＲ-ＡＤＪメッセージと対照的に、ＰＣ-Ａ-ＭＡＰ５６は、各移動局の検出されたチャネル変化に対し、小規模の電力調節を実行する。本発明に係る一実施形態によると、ＰＣ-Ａ-ＭＡＰ５６中の各出力制御コマンドは、既に配置された前のＦＦＢＣＨ５５に基づいて黙示的にインデックスされ、追加のシグナリングオーバーヘッドが不要である。従来の出力制御メッセージインデキシングスキームを用いて、各移動局は、それ自身の出力制御コマンドを定位させ、且つ、その伝送電力レベル調整の対応する電力オフセットを識別する。
【００２１】
図３は、本発明に係る一実施形態による無線ＯＦＤＭシステム中の出力制御メッセージインデキシングの方法のフローチャートである。ステップ６１において、サービング基地局は、ＦＡ-Ａ-ＭＡＰ-ＩＥにより、アップリンクファーストフィードバックチャネルを配置する。ＦＡ-Ａ-ＭＡＰ-ＩＥは、始動フレームとサブフレーム、及び、移動局がダウンリンクチャネル情報の報告に使用するＦＦＢＣＨの持続期間と周期を含む。ステップ６２において、基地局は、配置されたＦＦＢＣＨｓにより、移動局により報告されるダウンリンクチャネル情報を受信する。受信されたＦＦＢＣＨｓに基づいて、基地局は、アップリンクチャネル品質を推定し、チャネル変化を検出する。ステップ６３において、検出されたチャネル変化に基づいて、基地局は、統合化出力制御コマンドを生成し、このコマンドは、電力オフセットを伝送して、移動局の伝送電力レベルを調整する。一実施形態においては、移動局に用いられる出力制御コマンドは一ＰＣ-Ａ-ＭＡＰに統合化され、且つ、インデキシングスキームは、配置されたＦＦＢＣＨｓに基づいて黙示的である。例えば、ＦＦＢＣＨがアップリンクフレームの第一位置にある場合、ＦＦＢＣＨに応答する後続のＰＣ-Ａ-ＭＡＰ-ＩＥは、ダウンリンクフレームの第二位置に位置し、第二位置は、第一位置の後に位置し、且つ、両者間に固定遅延時間を有する。最後に、ステップ６４において、基地局は、出力制御コマンドを移動局に伝送する。移動局は、受信されたＰＣ-Ａ-ＭＡＰ中の出力制御コマンドを識別し、且つ、それらの伝送電力レベルを調整する。出力制御メッセージインデキシングの異なる具体例と実施例を、以下で図と共に説明する。
【００２２】
図４は、周波数分割双方向（ＦＤＤ）システム中の出力制御メッセージインデキシングの具体例を示す図である。ＦＤＤシステムにおいて、アップリンクとダウンリンクサブフレームは、異なる周波数チャネルを用いる。その結果、アップリンクとダウンリンクサブフレームは同じ時間スロットで伝送される。図４に示されるように、各ダウンリンクフレーム（例えば、第（ｉ−１）、第ｉおよび第（ｉ＋１）フレーム）は８個サブフレームを含み、各サブフレームは点線の陰影で示され、整数は、そのサブフレーム番号（例えば、０−７）を示す。同様に、各アップリンクフレームは８個のサブフレームを含み、各サブフレームは斜線で示され、整数は、そのサブフレーム数を示す。第一移動局ＭＳ＃１に配置されたＦＦＢＣＨ＃１はサブフレーム＃３に位置し、且つ、各アップリンクフレームで繰り返される。第二移動局ＭＳ＃２に配置されたＦＦＢＣＨ＃２はサブフレーム＃７に位置し、各アップリンクフレームで繰り返される。図４の例においては、ＦＦＢＣＨ＃１は第一位置に位置し、ＦＦＢＣＨ＃１に応答するＰＣ-Ａ-ＭＡＰ＃１は、第二位置に位置する。ＦＦＢＣＨ＃１は、ＰＣ-Ａ-ＭＡＰ＃１の後にあり、且つ、両者の間に、固定遅延時間を有する。同様に、ＦＦＢＣＨ＃２に対応するＰＣ-Ａ-ＭＡＰ-ＩＥ＃２は、ＦＦＢＣＨ＃２の後に位置し、両者間に、同一の固定遅延時間を有する。更に特に、図４中の固定遅延時間は、４個のサブフレームの時間長さに等しい。つまり、ＦＦＢＣＨ＃１に応答するＰＣ-Ａ-ＭＡＰ ＩＥ ＃１は、各ダウンリンクフレームのサブフレーム＃７で伝送され、ＰＣ-Ａ-ＭＡＰ-ＩＥ＃２は、各ダウンリンクフレームのサブフレーム＃３で伝送される。
【００２３】
図５は、ハイブリッド周波数分割双方向（Ｈ-ＦＤＤ）システム中の出力制御メッセージインデキシングの別の具体例を示す図である。Ｈ-ＦＤＤシステムにおいて、アップリンクとダウンリンクサブフレームは、異なるサブフレーム中の同じＲＦ回路をシェアする。その結果、アップリンクとダウンリンクサブフレームは、専用の時間スロットにより分離される。しかし、ＴＤＤシステムと異なり、Ｈ-ＦＤＤシステムには、ＵＬ／ＤＬサブフレーム間でシェアされるある時間スロットがある。図５に示されるように、サブフレーム０−１と７はダウンリンク伝送専用で、サブフレーム３−５はアップリンク伝送専用で、サブフレーム２と６は、アップリンクとダウンリンク伝送間でシェアされる。第一移動局ＭＳ＃１に配置されたＦＦＢＣＨ＃１はサブフレーム＃２に位置し、各アップリンクフレームで繰り返される。第二移動局ＭＳ＃２に配置されたＦＦＢＣＨ＃２はサブフレーム＃３に位置し、各アップリンクフレームで繰り返される。図５の例においては、ＦＦＢＣＨ＃１に応答するＰＣ-Ａ-ＭＡＰ-ＩＥ＃１はＦＦＢＣＨ＃１の後に位置し、両者間に、４個のサブフレームの固定遅延時間を有する。これにより、ＰＣ-Ａ-ＭＡＰ-ＩＥ＃１は各ダウンリンクフレームのサブフレーム＃６で伝送される。同様に、それらの対応するＦＦＢＣＨｓに応答する別のＰＣ-Ａ-ＭＡＰ-ＩＥｓは、ＦＦＢＣＨｓの後に伝送され、両者間は、同一の固定遅延時間を有する。
【００２４】
一例としては、無線ＯＦＤＭＡシステム中の遅延時間が予め定義される。所定の遅延時間を使用し、移動局が、ＦＡ-Ａ-ＭＡＰ-ＩＥにより、配置されたＦＦＢＣＨの正確な位置を知る場合、移動局は、追加のシグナリング要求がなくても、その対応する出力制御メッセージのＰＣ-Ａ-ＭＡＰ中の正確な位置を知る。しかし、別の例としては、遅延時間は、基地局から移動局に単独で信号を送る。
【００２５】
図４と図５の上述の例において、ＦＦＢＣＨは、各移動局の異なるサブフレームインデックスで割り当てられる。その結果、割り当てられたＦＦＢＣＨｓにより、異なる移動局は、異なるアップリンクサブフレーム中で、ダウンリンクチャネル情報を伝送する。それ故、異なる移動局のＰＣ-Ａ-ＭＡＰ-ＩＥｓも、異なるダウンリンクサブフレームで伝送される。しかし、その他の方案においては、ＦＦＢＣＨｓは同じサブフレームインデックスで割り当てられるが、異なるチャネルインデックスにより示される異なる周波数サブキャリアを有する。図６は、このような例を示す。図６の例において、移動局ＭＳ＃１は、ＦＦＢＣＨ＃１中で、そのダウンリンクチャネル情報を伝送し、ＦＦＢＣＨ＃１はサブフレーム＃２に位置し、チャネルインデックス＃１を有する。一方、移動局ＭＳ＃２は、ＦＦＢＣＨ＃２で、そのダウンリンクチャネル情報を伝送し、ＦＦＢＣＨ＃２もサブフレーム＃２に位置するが、チャネルインデックス＃２を有する。固定時間遅延が４個のサブフレームの時間長さに等しい場合、ＦＦＢＣＨ＃１に応答するＰＣ-Ａ-ＭＡＰ-ＩＥ＃１はサブフレーム＃６で伝送され、チャネルインデックス＃１を有し、ＦＦＢＣＨ＃２に応答するＰＣ-Ａ-ＭＡＰ-ＩＥ＃２は、サブフレーム＃６で伝送され、チャネルインデックス＃２を有する。その結果、ＭＳ＃１とＭＳ＃２は、それ自身の出力制御メッセージのアドレスを定位し、且つ、伝送電力レベルを調整することができる。
【００２６】
ＦＦＢＣＨと対応するＰＣ-Ａ-ＭＡＰ-ＩＥ間の固定時間遅延を用いることにより、各移動局は、基地局から伝送されるＰＣ-Ａ-ＭＡＰ中で、それ自身の出力制御コマンドを識別することができ、追加のシグナリングオーバーヘッドが不用である。本発明に係る一実施形態においては、遅延時間は、相対して短く、且つ、別のパラメータ、例えば、ＦＦＢＣＨの周期から独立するように予め定義される。ＰＣ-Ａ-ＭＡＰ-ＩＥはＦＦＢＣＨに接近し、且つ、両者の間には所定の時間遅延を有するので、チャネル条件の変化により、出力制御コマンドは無効にならない。この他、遅延時間が長すぎる場合、資源使用が、基地局に接続されない移動局上で浪費されない。更に、Ｈ-ＦＤＤシステムにおいては、遅延時間は容易に決定されて、ＰＣ-Ａ-ＭＡＰ-ＩＥは、専用のアップリンクサブフレームで伝送され、その他のスケジューリング制限がない。以下で、異なる例の出力制御メッセージインデキシングを説明する。
【００２７】
図７は、無線ＯＦＤＭＡシステム中の出力制御メッセージインデキシングの４例を示す図である。図７の表１００に示されるように、特定の移動局のＦＦＢＣＨの位置は、フレームインデックスi、サブフレームインデックスｍ、及び、チャネルインデックスｑに関連する。ＦＦＢＣＨに応答するＰＣ-Ａ-ＭＡＰ-ＩＥの位置は、フレームインデックスｉ’、サブフレームインデックスｍ’、および、チャネルインデックスｑ’に関連する。第一例＃１においては、フレームインデックスｉ’＝ｉ＋floor（（ｍ＋ｘ）／Ｎ）、サブフレームインデックスｍ’＝（ｍ＋ｘ）mod Ｎ、及び、チャネルインデックスｑ’＝ｑで、Ｎは、各フレーム中のサブフレームの数量、及び、ｘは、サブフレーム番号を示す正の整数である。上述の例において、ＦＦＢＣＨが特定のフレーム、サブフレームおよびチャネルインデックスに関連する位置で発生する場合、その対応するＰＣ-Ａ-ＭＡＰ-ＩＥは、ＦＦＢＣＨの後のｘ個のサブフレームで発生する。即ち、移動局が、配置されたＦＦＢＣＨにより、そのサービング基地局にそのダウンリンクチャネル情報を報告する時、サービング基地局はアップリンクチャネル品質を推定し、且つ、ｘ個のサブフレームの遅延時間後、対応する出力制御コマンドに応答する。ｘの値はＦＦＢＣＨの周期と関係がないが、所望の時間長さに予め定義できる。
【００２８】
電気電子技術者協会（ＩＥＥＥ）８０２．１６ｍシステムにおいて、標準の無線信号帯域幅、例えば、５、１０または２０ＭＨｚにとって、フレーム毎のサブフレームの総数（Ｎ）は８に等しい。一例において、ｘは、Ｎ／２＝４に等しくなるように予め定義される。ｘが４の時、遅延時間はフレーム長さの半分に予め定義される。ＦＦＢＣＨの周期が８個のサブフレームに等しい場合、ＰＣ-Ａ-ＭＡＰ-ＩＥは２個の連続したＦＦＢＣＨの中間に落ちる。
【００２９】
第二例＃２においては、フレームインデックスｉ’＝ｉ＋floor（（ｍ＋ｘ）／Ｎ）、サブフレームインデックスｍ’＝（ｍ＋floor（ｘ））mod Ｎ、及び、チャネルインデックスｑ’＝ｑで、Ｎは各フレーム中のサブフレーム数量、ｘは、サブフレーム番号を示す数値である。この例において、ＦＦＢＣＨが、特定のサブフレーム、及び、チャネルインデックスに関連する位置で発生する場合、その対応するＰＣ-Ａ-ＭＡＰ-ＩＥは、ＦＦＢＣＨの後のfloor（ｘ）サブフレームで発生する。ここの操作floor（ｘ）は、ｘが整数でなく、小数の場合に用いられる。７ＭＨｚの非正規の無線信号帯域幅を有する無線システムにとって、フレーム毎のサブフレーム総数Ｎは５に等しい。一例として、ｘはＮ／２＝２．５に等しくなるように、且つ、遅延時間floor（ｘ）は２個のサブフレームに等しくなるように予め定義される。同様に、８．７５ＭＨｚの非正規の無線信号帯域幅を有する無線システムにとって、フレーム毎のサブフレーム総数Ｎは７に等しい。一例として、ｘはＮ／２＝３．５に等しくなるように、遅延時間floor（ｘ）は３個のサブフレームに等しくなるように予め定義される。
【００３０】
第三例＃３においては、フレームインデックスｉ’＝ｉ＋floor（（ｍ＋floor（ｘ））／Ｎ）、サブフレームインデックスｍ’＝（ｍ＋floor（ｘ））mod Ｎ、及び、チャネルインデックスｑ’＝ｑで、Ｎは各フレーム中のサブフレーム数量、ｘはサブフレーム番号を示す数値である。第三例＃３は第二例＃２は非常に類似し、その差異は、floor（ｘ）がフレームインデックスｉ’の計算に用いられることである。
【００３１】
第四例＃４においては、フレームインデックスｉ’＝ｉ＋１、サブフレームインデックスｍ’＝floor（ｓ／Ｔ）mod Ｎ、及び、チャネルインデックスｑ’＝ｓmodＴで、Ｎは、各フレーム中のサブフレーム数量、ｓはｓ＝Ｑ＊ｍ＋ｑとして定義され、Ｑは、アップリンクサブフレーム中のＦＦＢＣＨの総数量で、Ｑ＝Ｎfb ＊ UL_FEEDBACK_SIZE − ＬＨＦＢ／３により与えられ、ＮfbはＭzoneで３、且つ、ＰＵＳＣを有するＬzoneで４で、ＬＨＦＢは、Ｓ-ＳＦＨ ＳＰ１で定義されるＵＬ ＨＡＲＱチャネルの数量、Ｔは、ダウンリンクサブフレーム中のＰＣ-Ａ-ＭＡＰ ＩＥの総数量で、Ｔ＝ceil（Ｕ＊Ｑ／Ｄ）として計算され、ＵとＤは、それぞれ、フレーム毎のＰＣ-Ａ-ＭＡＰとＦＦＢＣＨを搭載するアップリンクとダウンリンクサブフレームの数量である。ＦＤＤシステムにおいて、ＵとＤの値は同じである。
【００３２】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００３３】
１０：無線ＯＦＤＭＡシステム；
１１：基地局；
１２、１３、１４、１５、１６：移動局；
２１、３１：メモリ；
２２、３２：プロセッサ；
２３、３３：出力制御モジュール；
２４、３４：送受信機；
２５、３５：アンテナ；
５１、５３：ダウンリンクサブフレーム；
５２：アップリンクサブフレーム；
５４：ＦＡ-Ａ-ＭＡＰ-ＩＥ；
５５：ＦＦＢＣＨ；
５６：ＰＣ-Ａ-ＭＡＰ；
６１、６２、６３、６４：ステップ；
１００：表
【図１】
2013527994.tif 000003
【図２】
2013527994.tif 000004
【図３】
2013527994.tif 000005
【図４】
2013527994.tif 000006
【図５】
2013527994.tif 000007
【図６】
2013527994.tif 000008
【図７】
2013527994.tif 000009
【国際調査報告】
2013527994.tif 000010
2013527994.tif 000011